(57)【要約】      （修正有）【課題】原水の流入量が変動するような場合であっても浮上ろ材層を効果的なタイミングで逆洗することが可能なろ過システム及びろ過システムの洗浄方法を提供する。【解決手段】浮上ろ材層１２と、前記浮上ろ材１２の流出を防止するスクリーン１１と、原水流入口１３及び逆洗排水排出口１４と、前記スクリーン１１の上側に設けられたろ過水貯留部１５とを備える第１の縦穴１０と、前記浮上ろ材層１２を下向流で逆流洗浄する逆洗機構と原水が流入する第２の縦穴２０と、原水を供給する原水供給流路４１と、単位時間当たりに前記第２の縦穴２０に流入する原水の流入量が所定量を超える場合には、前記逆洗機構を用いた前記浮上ろ材層１２の逆流洗浄の開始を許容せず、単位時間当たりに前記第２の縦穴２０に流入する原水の流入量が所定量以下である場合には、前記逆洗機構を用いた前記浮上ろ材層１２の逆流洗浄の開始を許容する逆洗機構制御器とを備える。【選択図】図２
2014018725.tif 000002
【特許請求の範囲】
【請求項１】
浮上ろ材からなる浮上ろ材層と、前記浮上ろ材層の上側に配置されて前記浮上ろ材の流出を防止するスクリーンと、前記浮上ろ材層より下側に配置された原水流入口及び逆洗排水排出口と、前記スクリーンの上側に設けられたろ過水貯留部とを備える第１の縦穴と、
前記第１の縦穴内の水を前記逆洗排水排出口から排出し、前記浮上ろ材層を下向流で逆流洗浄する逆洗機構と、
原水が流入する第２の縦穴と、
前記第２の縦穴から前記第１の縦穴へと、前記原水流入口を介して原水を供給する原水供給流路と、
単位時間当たりに前記第２の縦穴に流入する原水の流入量が所定量を超える場合には、前記逆洗機構を用いた前記浮上ろ材層の逆流洗浄の開始を許容せず、単位時間当たりに前記第２の縦穴に流入する原水の流入量が所定量以下である場合には、前記逆洗機構を用いた前記浮上ろ材層の逆流洗浄の開始を許容する逆洗機構制御器と
を備えることを特徴とする、ろ過システム。
【請求項２】
前記逆洗機構制御器は、単位時間当たりに前記第２の縦穴に流入する原水の流入量が減少し、前記流入量が前記所定量となった際に前記逆洗機構を運転して前記浮上ろ材層の逆流洗浄を開始することを特徴とする、請求項１に記載のろ過システム。
【請求項３】
前記第２の縦穴内の水位を測定する水位計と、
前記原水供給流路を介して前記原水を前記第１の縦穴内に移送する原水ポンプと
を更に備え、
前記逆洗機構制御器は、前記水位計の測定値に基づいて単位時間当たりに前記第２の縦穴に流入する原水の流入量を把握する、請求項１または２に記載のろ過システム。
【請求項４】
前記第２の縦穴内の水位を測定する水位計と、
前記原水供給流路を介して前記原水を前記第１の縦穴内に移送する原水ポンプと、
前記水位計で測定した水位が所定値を超える場合には前記原水ポンプを起動させ、前記水位が所定値以下の場合には前記原水ポンプを停止させる原水ポンプ制御器と
を更に含み、
前記逆流機構制御器は、前記原水ポンプの運転時間または停止時間に基づいて単位時間当たりに前記第２の縦穴に流入する原水の流入量を把握する、請求項１または２に記載のろ過システム。
【請求項５】
浮上ろ材からなる浮上ろ材層と、前記浮上ろ材層の上側に配置されて前記浮上ろ材の流出を防止するスクリーンと、前記浮上ろ材層より下側に配置された原水流入口及び逆洗排水排出口と、前記スクリーンの上側に設けられたろ過水貯留部とを備える第１の縦穴と；前記第１の縦穴内の水を前記逆洗排水排出口から排出し、前記浮上ろ材層を下向流で逆流洗浄する逆洗機構と；原水が流入する第２の縦穴と；前記第２の縦穴から前記第１の縦穴へと、前記原水流入口を介して原水を供給する原水供給流路とを有するろ過システムの洗浄方法であって、
前記原水流入口から流入した原水を前記浮上ろ材層に上向流で通水することにより原水をろ過するろ過工程と、
前記第１の縦穴内の水を前記逆洗排水排出口から排出し、前記浮上ろ材層を下向流で逆流洗浄する逆洗工程と
を含み、
単位時間当たりに前記第２の縦穴に流入する原水の流入量が所定量以下である場合にのみ前記逆洗工程を実施するろ過システムの洗浄方法。
【請求項６】
単位時間当たりに前記第２の縦穴に流入する原水の流入量が減少し、前記流入量が前記所定量となった際に逆洗工程を開始することを特徴とする、請求項５に記載のろ過システムの洗浄方法。
【請求項７】
前記ろ過システムは、前記原水供給流路を介して前記原水を前記第１の縦穴内に移送する原水ポンプを更に備え、
前記第２の縦穴内の水位を測定する水位測定工程を含み、
前記水位測定工程で測定した水位に基づいて単位時間当たりに前記第２の縦穴に流入する原水の流入量を把握し、前記逆洗工程を実施することを特徴とする、請求項５または６に記載のろ過システムの洗浄方法。
【請求項８】
前記ろ過システムは、前記原水供給流路を介して前記原水を前記第１の縦穴内に移送する原水ポンプを更に備え、
前記ろ過工程では、前記第２の縦穴内の水位が所定値を超える場合には前記原水ポンプを起動し、前記原水を前記第１の縦穴内に移送してろ過を行い、前記第２の縦穴内の水位が所定値以下の場合には前記原水ポンプを停止して前記第２の縦穴内の水位が所定値を超えるまでろ過を一時的に中断し、
前記ろ過工程における前記原水ポンプの運転時間または停止時間に基づいて単位時間当たりに前記第２の縦穴に流入する原水の流入量を把握し、前記逆洗工程を実施することを特徴とする、請求項５または６に記載のろ過システムの洗浄方法。
【発明の詳細な説明】
【技術分野】
【０００１】
本発明は、ろ過システム及びろ過システムの洗浄方法に関し、特には、浮上ろ材よりなる浮上ろ材層を有するろ過システム及びそのろ過システムの浮上ろ材層の洗浄方法に関するものである。
【背景技術】
【０００２】
従来、下水等の原水をろ過してろ過水を得るろ過システムとして、発泡高分子製の多数の浮上ろ材よりなる浮上ろ材層と、浮上ろ材層の上側に配置されて浮上ろ材の流出を防止するスクリーンと、浮上ろ材層の下側に配置された原水流入口及び逆洗排水排出口と、スクリーンの上側に位置するろ過水貯留部とを備える、上向流式のろ過システムが知られている（例えば、特許文献１参照）。
【０００３】
また、近年では、地面等を掘削して形成した縦穴内に上述した浮上ろ材層、スクリーン、原水流入口、逆洗排水排出口およびろ過水貯留部を配置してろ過システムを形成することにより、合流式下水道の越流水等をオンサイト（その場）で処理可能とすることなども提案されている（例えば、特許文献２参照）。
【０００４】
そして、浮上ろ材を用いた上記従来のろ過システムでは、原水流入口から流入した原水を浮上ろ材層に上向流で通水することにより、夾雑物（例えば、ごみ、異物など）や浮遊性懸濁物質が除去されたろ過水を得ている。また、上記従来のろ過システムでは、ろ過水貯留部に貯留したろ過水を自然流下させることにより、ろ過の継続に伴い浮上ろ材層に補足された夾雑物や浮遊性懸濁物質を除去し、下向流で浮上ろ材層を逆流洗浄（以下「逆洗」と称することがある。）していた。
【０００５】
ここで、従来は、この浮上ろ材層の逆洗は、例えば、浮上ろ材層のろ過抵抗が大きくなり、ろ過差圧が所定の値以上となった際に行われていたのが通例であった。
【先行技術文献】
【特許文献】
【０００６】
【特許文献１】特許第３８５３７３８号公報
【特許文献２】特開２０１０−２２１１９７号公報
【発明の概要】
【発明が解決しようとする課題】
【０００７】
しかし、ろ過差圧の値のみを指標として逆洗のタイミングを決定し、逆洗を行うことは、必ずしも効率的ではなかった。具体的には、例えば、汚水と雨水とを同一の管路で流す合流式下水道の越流水を処理する場合には、天候などに応じてろ過システムへの原水（越流水）の流入量が大きく変動するところ、ろ過差圧の値のみを指標として逆洗のタイミングを決定すると、効率的にろ過および逆洗を行うことができない場合があった。即ち、原水の流入量の大きさについて考慮することなくろ過差圧の値のみを指標として逆洗のタイミングを決定すると、原水の流入量が多くてろ過を継続すべきタイミングでもろ過を中断して逆洗を実施することになったり、原水の流入量が少なくて原水を常時ろ過しなくてもよいタイミングで逆洗を実施できなかったりすることになり、効率的にろ過および逆洗を行うことができなかった。
【０００８】
そこで、この発明は、原水の流入量が変動するような場合であっても浮上ろ材層を効果的なタイミングで逆洗することが可能なろ過システム及びろ過システムの洗浄方法を提供することを目的とする。
【課題を解決するための手段】
【０００９】
この発明は、上記課題を有利に解決することを目的とするものであり、本発明のろ過システムは、浮上ろ材からなる浮上ろ材層と、前記浮上ろ材層の上側に配置されて前記浮上ろ材の流出を防止するスクリーンと、前記浮上ろ材層より下側に配置された原水流入口及び逆洗排水排出口と、前記スクリーンの上側に設けられたろ過水貯留部とを備える第１の縦穴と；前記第１の縦穴内の水を前記逆洗排水排出口から排出し、前記浮上ろ材層を下向流で逆流洗浄する逆洗機構と；原水が流入する第２の縦穴と；前記第２の縦穴から前記第１の縦穴へと、前記原水流入口を介して原水を供給する原水供給流路と；単位時間当たりに前記第２の縦穴に流入する原水の流入量が所定量を超える場合には、前記逆洗機構を用いた前記浮上ろ材層の逆流洗浄の開始を許容せず、単位時間当たりに前記第２の縦穴に流入する原水の流入量が所定量以下である場合には、前記逆洗機構を用いた前記浮上ろ材層の逆流洗浄の開始を許容する逆洗機構制御器とを備えることを特徴とする。このように、逆洗機構を用いた逆洗の開始を原水の流入量に基づいて制御する逆洗機構制御器を設ければ、原水の流入量が少ない場合にのみ逆洗を許容し、原水の流入量が多い場合には逆洗の開始を許容せずにろ過を継続することができる。従って、原水の流入量が多い場合に非効率的なタイミングで逆洗を行うことを避けると共に、原水の流入量が少ないタイミングで逆洗を行うことを確実にし、効率的にろ過システムを洗浄することができる。
【００１０】
本発明のろ過システムは、前記逆洗機構制御器が、単位時間当たりに前記第２の縦穴に流入する原水の流入量が減少し、前記流入量が前記所定量となった際に前記逆洗機構を運転して前記浮上ろ材層の逆流洗浄を開始することが好ましい。原水の流入量が減少して所定値となったタイミングで逆洗を開始すれば、第２の縦穴に流入する原水の流入量が変動する場合に、適切なタイミングで逆洗を実施することができるためである。
【００１１】
また、本発明のろ過システムは、前記第２の縦穴内の水位を測定する水位計と、前記原水供給流路を介して前記原水を前記第１の縦穴内に移送する原水ポンプとを更に備え、前記逆洗機構制御器は、前記水位計の測定値に基づいて単位時間当たりに前記第２の縦穴に流入する原水の流入量を把握することが好ましい。原水ポンプを使用して第２の縦穴内の原水を移送する場合、原水の流入量に応じて第２の縦穴内の水位が変動することになる。そのため、水位計を利用すれば、第２の縦穴内への原水の流入量を簡単に把握することができるためである。
【００１２】
更に、本発明のろ過システムは、前記第２の縦穴内の水位を測定する水位計と、前記原水供給流路を介して前記原水を前記第１の縦穴内に移送する原水ポンプと、前記水位計で測定した水位が所定値を超える場合には前記原水ポンプを起動させ、前記水位が所定値以下の場合には前記原水ポンプを停止させる原水ポンプ制御器とを更に含み、前記逆流機構制御器は、前記原水ポンプの運転時間または停止時間に基づいて単位時間当たりに前記第２の縦穴に流入する原水の流入量を把握することが好ましい。原水ポンプを使用して第２の縦穴内の原水を移送する場合、原水の流入量に応じて第２の縦穴内の水位が変動することになる。そのため、原水ポンプが第２の縦穴の原水の水位に応じて起動／停止する場合には、該ポンプの運転時間または停止時間に基づいて原水の流入量を簡単に把握することができるためである。
【００１３】
また、この発明は上記課題を有利に解決することを目的とするものであり、本発明のろ過システムの洗浄方法は、浮上ろ材からなる浮上ろ材層と、前記浮上ろ材層の上側に配置されて前記浮上ろ材の流出を防止するスクリーンと、前記浮上ろ材層より下側に配置された原水流入口及び逆洗排水排出口と、前記スクリーンの上側に設けられたろ過水貯留部とを備える第１の縦穴と；前記第１の縦穴内の水を前記逆洗排水排出口から排出し、前記浮上ろ材層を下向流で逆流洗浄する逆洗機構と；原水が流入する第２の縦穴と；前記第２の縦穴から前記第１の縦穴へと、前記原水流入口を介して原水を供給する原水供給流路とを有するろ過システムの洗浄方法であって、前記原水流入口から流入した原水を前記浮上ろ材層に上向流で通水することにより原水をろ過するろ過工程と、前記第１の縦穴内の水を前記逆洗排水排出口から排出し、前記浮上ろ材層を下向流で逆流洗浄する逆洗工程とを含み、単位時間当たりに前記第２の縦穴に流入する原水の流入量が所定量以下である場合にのみ前記逆洗工程を実施することを特徴とする。このように、単位時間当たりに第２の縦穴に流入する原水の流入量が所定量以下である場合にのみ逆洗工程を実施することにより、原水の流入量が少ない場合にのみ逆洗を許容し、原水の流入量が多い場合には逆洗の開始を許容せずにろ過を継続することができる。従って、流入量が多い場合に非効率的なタイミングで逆洗を行うことを避けると共に、原水の流入量が少ないタイミングで逆洗を行うことを確実にし、効率的にろ過システムを洗浄することができる。
【００１４】
また、本発明のろ過システムの洗浄方法は、単位時間当たりに前記第２の縦穴に流入する原水の流入量が減少し、前記流入量が前記所定量となった際に逆洗工程を開始することが好ましい。原水の流入量が減少して所定値となったタイミングで逆洗を開始すれば、第２の縦穴に流入する原水の流入量が変動する場合に、適切なタイミングで逆洗を実施することができるためである。
【００１５】
更に、本発明のろ過システムの洗浄方法は、前記ろ過システムが、前記原水供給流路を介して前記原水を前記第１の縦穴内に移送する原水ポンプを更に備え、前記第２の縦穴内の水位を測定する水位測定工程を含み、前記水位測定工程で測定した水位に基づいて単位時間当たりに前記第２の縦穴に流入する原水の流入量を把握し、前記逆洗工程を実施することが好ましい。原水ポンプを使用して第２の縦穴内の原水を移送する場合、原水の流入量に応じて第２の縦穴内の水位が変動することになる。そのため、水位測定工程で測定した水位を利用すれば、第２の縦穴内への原水の流入量を簡単に把握することができるためである。
【００１６】
また、本発明のろ過システムの洗浄方法は、前記ろ過システムが、前記原水供給流路を介して前記原水を前記第１の縦穴内に移送する原水ポンプを更に備え、前記ろ過工程では、前記第２の縦穴内の水位が所定値を超える場合には前記原水ポンプを起動し、前記原水を前記第１の縦穴内に移送してろ過を行い、前記第２の縦穴内の水位が所定値以下の場合には前記原水ポンプを停止して前記第２の縦穴内の水位が所定値を超えるまでろ過を一時的に中断し、前記ろ過工程における前記原水ポンプの運転時間または停止時間に基づいて単位時間当たりに前記第２の縦穴に流入する原水の流入量を把握し、前記逆洗工程を実施することが好ましい。原水ポンプを使用して第２の縦穴内の原水を移送する場合、原水の流入量に応じて第２の縦穴内の水位が変動することになる。そのため、第２の縦穴の原水の水位に応じて原水ポンプを起動／停止する場合には、該ポンプの運転時間または停止時間に基づいて原水の流入量を簡単に把握することができるためである。
【発明の効果】
【００１７】
本発明によれば、原水の流入量が変動するような場合であっても浮上ろ材層を効果的なタイミングで逆洗することが可能なろ過システム及びろ過システムの洗浄方法を提供することができる。
【図面の簡単な説明】
【００１８】
【図１】本発明に従う代表的なろ過システムの設置位置の一例を示す説明図である。
【図２】本発明に従う代表的なろ過システムの概略構成を説明する説明図である。
【図３】本発明に従うろ過システムの変形例の概略構成を説明する説明図である。
【発明を実施するための形態】
【００１９】
以下、本発明の実施の形態を、図面に基づき詳細に説明する。なお、各図において同一の符号を付したものは、同一の構成要素を示すものとする。
【００２０】
ここで、本発明のろ過システムは、特に限定されることなく、下水の処理等に用いることができる。具体的には、本発明のろ過システムは、図１にろ過システム１００の設置位置の一例を示すように、雨水と汚水とを同一の管路で流す合流式下水道において、合流下水管１１１の近傍に配置して、計画遮集量ｎＱを超えた、下水処理場にて処理しきれない越流水（ｎＱ超過分）をその場（オンサイト）で処理する際に用いることができる。なお、「計画遮集量ｎＱ」とは、下水処理場の処理能力に応じて設計される遮集管の計画遮集量であり、ここで、「ｎ」は都市により異なる数値である。また、「Ｑ」は晴天時時間最大汚水量である。
【００２１】
そして、図１に示す、本発明のろ過システム１００を適用した合流式下水道では、合流下水管１１１に流入する雨水及び汚水の量が計画遮集量を超えた場合に、越流水（原水）が合流下水管１１１に設けられた越流部（図示せず）を超えてろ過システム１００へと流入し、処理される。ここで、越流部は、望ましくは既設の雨水吐き１１２の下流側に設けられる。但し、雨水吐き１１２の下流側への設置が困難な場合には、雨水吐き１１２や、雨水吐き１１２の上流側に設けても良い。そして、ろ過システム１００でろ過されて水質が改善した越流水（ろ過水）は、河川１１４等に放流されることとなる。
【００２２】
ここで、図２に示すように、本発明の一例のろ過システム１００は、浮上ろ材層１２を有するろ過槽としての第１の縦穴１０と、浮上ろ材層１２を逆流洗浄する逆洗機構と、原水槽としての第２の縦穴２０と、第２の縦穴２０から第１の縦穴１０へと原水を供給する原水供給流路４１と、逆洗排水槽としての第３の縦穴３０とを具えている。そして、このろ過システム１００は、逆洗機構を用いた逆洗開始のタイミングを第２の縦穴２０に流入する原水の流入量に基づき制御する逆洗機構制御器５１を含んだ制御装置を更に有することを特徴とする。このため、このろ過システム１００では、原水の流入量が多い場合に逆洗を行うことを避け、原水の流入量が少ない効果的なタイミングで逆洗を行うことができる。
【００２３】
なお、ろ過システム１００の原水流路には、第２の縦穴２０内への原水の流入を遮断する原水流入遮断機構としての流量調整弁１１５が設けられている。また、第１の縦穴１０、第２の縦穴２０及び第３の縦穴３０の地面Ｇへの開口部には、縦穴内への人や物の落下を防止する蓋（図示せず）が配置されている。
【００２４】
第１の縦穴１０は、原水をろ過してろ過水を得るろ過槽として機能するものであり、第１の縦穴１０としては、例えば、地面Ｇを掘削して形成した新設のマンホール等の構造物を利用することができる。そして、図２に示すように、第１の縦穴１０内には、スクリーン１１と、スクリーン１１で支持された複数の浮上ろ材からなる浮上ろ材層１２と、浮上ろ材層１２の下側に設置された原水流入口１３と、浮上ろ材層１２の下側に設置された複数の逆洗排水排出口１４と、スクリーン１１の上側に設けられたろ過水貯留部１５と、スクリーン１１の上側に設けられたろ過水流出口１６とが配置されている。なお、第１の縦穴１０内には、任意に、浮上ろ材層１２の逆流洗浄時に浮上ろ材の流動性を向上させるためのブロア（図示せず）を配置してもよい。
【００２５】
ここで、浮上ろ材とは、原水よりも比重の小さい（即ち、原水中で浮く）ろ材である。そして、ろ過システム１００では、浮上ろ材として、特許文献１や特許文献２に記載の発泡高分子製の粒子状の浮上ろ材などの既知の浮上ろ材を用いることができる。
【００２６】
また、浮上ろ材層１２の上側に配置するスクリーン１１としては、浮上ろ材の流出を防止し得るスクリーン、例えばパンチングメタル等を用いることができる。なお、浮上ろ材層１２は、所定の高さまで水を入れた第１の縦穴１０内に多数の浮上ろ材を投入した後、投入した浮上ろ材の上側にスクリーン１１を設置することにより、第１の縦穴１０内に設けることができる。
【００２７】
第２の縦穴２０は、第１の縦穴１０でろ過される原水を貯留する原水槽として機能するものであり、第２の縦穴２０としては、第１の縦穴１０と同様に、地面Ｇを掘削して形成した新設のマンホール等の構造物を利用することができる。また、第２の縦穴２０の上部は、流量調整弁１１５を有する原水流路を介して合流下水管１１１と連通している。
【００２８】
更に、第２の縦穴２０内には、原水供給流路４１を介して第２の縦穴２０内の原水を第１の縦穴１０内に移送する原水ポンプ２１と、第２の縦穴２０内の水位を測定するための水位計２３とが設置されている。
ここで、原水ポンプ２１の吸込口２２は、第２の縦穴２０内に位置している。また、原水ポンプ２１の吐出口は、原水供給路４１に接続されており、原水供給路４１は、原水ポンプ２１の吐出口と、第１の縦穴１０の原水流入口１３とを接続している。原水ポンプとしては、既知のポンプを適宜選択して用いることができる。
また、水位計２３は、逆洗機構制御器５１に接続されている。水位計２３は、測定した水位を検出し、検出信号を逆洗機構制御器５１に出力する。水位計２３としては、既知の水位計を適宜選択して用いることができる。
【００２９】
ここで、第２の縦穴２０と第１の縦穴１０とは、原水供給路４１によって連通している。原水供給路４１は、第２の縦穴２０から第１の縦穴１０へと、第１の縦穴１０の原水流入口１３を介して原水を供給する。原水供給路４１は、原水供給弁４２を有している。原水供給弁４２は、逆洗機構制御器５１を含む制御装置（図示せず）と接続されており、原水供給弁４２の開閉は、制御装置で制御することができる。
【００３０】
また、第３の縦穴３０は、浮上ろ材層１２の逆洗時に第１の縦穴１０の逆洗排水排出口１４から排出される逆洗排水を貯留する逆洗排水槽として機能するものであり、第３の縦穴３０としては、第１の縦穴１０及び第２の縦穴２０と同様に、地面Ｇを掘削して形成した新設のマンホール等の構造物を利用することができる。
【００３１】
ここで、このろ過システム１００では、第３の縦穴３０の下部は、排水配管（図示せず）を介して図１に示す遮集管１１３に接続されており、遮集管１１３は、下水処理場まで延在している。なお、排水配管は、原水（越流水）が合流下水管１１１から越流する越流部よりも下流側で合流下水管１１１に接続させてもよい。
【００３２】
また、ろ過システム１００では、第１の縦穴１０の下部に位置する複数の（図２では６つの）逆洗排水排出口１４は、第１の縦穴１０から逆洗排水を排出する集水配管６１に接続されており、集水配管６１は、第３の縦穴３０の下部まで延在している。即ち、集水配管６１は、逆洗排水排出口１４と、第３の縦穴３０とを接続している。なお、集水配管６１は、集水配管弁６２を有している。なお、集水配管弁６２は、逆洗機構制御器５１に接続されており、集水配管弁６２の開閉は、逆洗機構制御器５１で制御することができる。
【００３３】
ここにおいて、集水配管６１と、集水配管弁６２とは、逆洗機構を構成する。逆洗機構は、第１の縦穴１０内の水を逆洗排水排出口１４から排水し、浮上ろ材層１２を下向流で逆流洗浄する。
具体的には、集水配管６１を介して第１の縦穴１０と第３の縦穴３０とを連通させたろ過システム１００では、第３の縦穴３０内の水位が第１の縦穴１０内の水位よりも低い場合、集水配管弁６２を開くことにより、水頭差を利用して、集水配管６１を介して第１の縦穴１０内の水を第３の縦穴３０内へと送出することができる。そして、第３の縦穴内に送出された水（逆洗排水）は、例えば、自然流下により遮集管へと送出することができる。
【００３４】
逆洗機構制御器５１は、制御装置（図示せず）の一部を構成する。逆洗機構制御器５１は、水位計２３と集水配管弁６２とに接続されており、逆洗機構制御器５１は、逆洗機構（集水配管６１および集水配管弁６２）を用いた浮上ろ材層１２の逆流洗浄の開始のタイミングを制御する。即ち、図２において、逆洗機構制御器５１は、水位計２３の測定値に基づいて単位時間当たりに第２の縦穴２０に流入する原水の流入量を把握し、把握した原水の流入量が所定量を超える場合には、逆洗機構を用いた浮上ろ材層１２の逆流洗浄の開始を許容しない（即ち、集水配管弁６２を閉じたままとする）。一方、把握した原水の流入量が所定量以下である場合には、逆洗機構を用いた浮上ろ材層の開始を許容する（即ち、集水配管弁６２が開くのを許容する）。
ここで、水位計２３を用いた原水の流入量の把握は、例えば以下のようにして行うことができる。即ち、ろ過システム１００では、単位時間当たりの原水の流入量をＱ［ｍ３］、単位時間当たりに原水ポンプ２１が吐出した原水の量をｑ［ｍ３］、第２の縦穴２０の底面積をＡ［ｍ２］、単位時間当たりに減少した第２の縦穴２０内の水位をＨ［ｍ］とすると、式：
Ｑ＝ｑ＋（Ａ×Ｈ）
が成立する。従って、逆洗機構制御器５１は、上記式を利用して、水位計２３で測定した第２の縦穴２０内の水位の変化量Ｈと、原水ポンプ２１の吐出量ｑと、第２の縦穴２０の底面積Ａとから、第２の縦穴２０に流入する原水の流入量Ｑを把握することができる。
なお、底面積Ａは一定値であるので、上記式からも明らかなように、単位時間当たりの原水ポンプ２１の吐出量ｑが一定の場合、原水の流入量Ｑは、第２の縦穴２０内の水位の変化量を変数とした一次関数となる。従って、予め水位の変化量と流入量との相関関係を求め、逆洗機構制御器５１に記憶させておけば、逆洗機構制御器５１は、その相関関係を用いて、水位の変化量のみから原水の流入量を把握することもできる。
【００３５】
ここで、地中に設置された流路内の流量の測定、例えば、合流下水管１１１から原水流路へと越流してきた越流水の流量の測定は一般的には困難なことが多いが、ろ過システム１００では、このように、水位計２３を利用することにより、第２の縦穴２０への原水の流入量を簡便に把握することができる。また、第２の縦穴２０内に水位計２３を設置すれば、流入量測定用の設備を地中に埋設する必要がないため、ろ過システム１００の構造を簡易なものとし、設置費用を削減することができる。
なお、図２に示す例では、水位計２３を使用したが、本発明のろ過システムでは、単位時間当たりに前記第２の縦穴に流入する原水の流入量を把握することができることができれば、他の手段を使用してもよい。例えば、原水の流入量は、せき式流量計を使用して把握することができる。
【００３６】
そして、このろ過システム１００では、以下で説明する通り、合流下水管１１１から第２の縦穴２０内に流入した越流水（原水）を第１の縦穴１０の浮上ろ材層１２でろ過し、或いは、第１の縦穴１０内の浮上ろ材層１２を逆洗する。なお、浮上ろ材層１２を逆洗するタイミングは、第２の縦穴２０への原水の流入量に基づいて決定される。そして、ろ過システム１００では、原水の流入量は、後に詳細に説明する水位測定工程で測定される第２の縦穴２０の水位に基づいて把握される。
【００３７】
＜ろ過工程＞
ろ過システム１００では、制御装置が、原水供給弁４２を開き、集水配管弁６２を閉じ、原水ポンプ２１を運転させて、合流下水管１１１から原水流路を介して第２の縦穴２０内へと流入した原水を、原水流入口１３から第１の縦穴１０へと流入させる。そして、流入させたこの原水を浮上ろ材層１２に上向流で通水することにより、原水をろ過する。得られたろ過水は、ろ過水貯留部１５内を上向流で流れた後、ろ過水流出口１６を介して河川等へ放流される。
なお、原水をろ過する場合、第１の縦穴１０内を原水が上向流で流れれば、集水配管弁６２を開いた状態としてもよいが、原水を効率的にろ過する観点からは、集水配管弁６２を閉じた状態で原水をろ過することが好ましい。
ここで、原水のろ過時に、第２の縦穴２０から原水供給流路４１および原水流入口１３を介して第１の縦穴１０内へと送られる原水の流量が第２の縦穴２０内に流入する原水の流量よりも大きい場合、即ち、原水ポンプ２１の吐出量が原水の流入量よりも大きい場合には、第２の縦穴２０内の水位ＬＶが、例えば図２に実線で示す位置から二点鎖線で示す位置まで低下する。
そこで、ろ過システム１００では、第２の縦穴２０内の水位の低下により原水ポンプ２１が空運転するのを防止するために、第２の縦穴２０内の水位が所定の位置（例えば図２に二点鎖線で示す位置）まで低下した場合には、原水ポンプ２１の運転を停止し、第１配管弁４２を閉じて、原水のろ過を中止する。そして、第２の縦穴２０内に再び原水が貯留され、第２の縦穴２０内の水位が上昇すると、原水供給ポンプ４２を開き、原水ポンプ２１の運転を再開して、原水のろ過を再開する。
【００３８】
＜水位測定工程＞
ここで、ろ過工程の実施中に、水位計２３は、第２の縦穴２０内の水位を測定し、測定した水位を逆洗機構制御器５１に出力する。逆洗機構制御器５１は、前述のようにして、水位計２３から出力された信号に基づき、単位時間当たりに第２の縦穴に流入する原水の流入量を把握する。なお、水位測定工程は、ろ過工程の実施中以外にも、後に説明する逆洗工程の実施中や、ろ過工程および逆洗工程を実施していない、ろ過システム１００の待機中に実施してもよい。
【００３９】
そして、このろ過システム１００では、原水の流入量が所定量以下である場合にのみ、以下で説明する逆洗工程を実施する。
即ち、単位時間当たりに第２の縦穴２０に流入する原水の流入量が所定量を超える場合には、逆洗機構を用いた浮上ろ材層１２の逆流洗浄の開始を逆洗機構制御器５１が許容せず、ろ過工程の実施を継続する。一方、単位時間当たりに第２の縦穴２０に流入する原水の流入量が所定量以下である場合には、ろ過工程を終了し、逆洗機構を用いた浮上ろ材層１２の逆流洗浄を開始する。
【００４０】
なお、原水の流入量に関して、逆洗工程の開始を許容する「所定量」とは、実験的に決定することができる。
【００４１】
＜逆洗工程＞
ろ過システム１００では、第２の縦穴２０に流入する原水の流入量が所定量以下になると、逆洗機構制御器５１を含む制御装置が、原水供給弁４２を閉じ、集水配管弁６２を開き、原水ポンプ２１の運転を停止する。これにより、第１の縦穴１０内の水位と第３の縦穴３０内の水位との差（水頭差）を利用して、集水配管６１を介して第１の縦穴１０内の水を第３の縦穴３０の下部へと排出し、ろ過水貯留部１５に貯留されたろ過水を浮上ろ材層１２に下向流で通水して、浮上ろ材層１２を構成する多数の浮上ろ材を下方に展開させる。そして、浮上ろ材層１２に補足されていた夾雑物や浮遊性懸濁物質を浮上ろ材層１２から排出させ、浮上ろ材層１２を逆洗する。また、第１の縦穴１０内から第３の縦穴３０内へと流入した水（浮上ろ材層１２に補足されていた夾雑物や浮遊性懸濁物質を含む逆洗排水）を、自然流下させ、第３の縦穴３０内から遮集管１１３へと送出する。
【００４２】
なお、第１の縦穴１０内の水を第３の縦穴３０内へと自然流下させる場合、第３の縦穴３０内の水位は、逆洗を開始する際の第１の縦穴１０内の水位（通常は、ろ過水流出口１６が設けられている位置）よりも下側にある必要がある。そこで、このろ過システム１００では、第２の縦穴２０への原水の流入量が所定の値以下であり、且つ、第３の縦穴３０内の水位が第１の縦穴１０内の水位以下の場合に浮上ろ材層１２の逆洗を開始するように、逆洗機構制御器５１を含む制御装置で、原水供給弁４２及び集水配管弁６２の開閉を制御することが好ましい。具体的には、第２の縦穴２０への原水の流入量が所定量以下であり、且つ、第３の縦穴３０内の水位が第１の縦穴１０内の水位よりも下側に位置する場合に、制御装置が、原水供給弁４２を閉じ、集水配管弁６２を開くことを許容する。
また、このろ過システム１００では、第２の縦穴２０に流入する原水の流入量が所定量以下になると直ぐに逆洗工程を開始してもよいが、逆洗工程中に第２の縦穴２０内に原水が流入しても第２の縦穴２０内から原水があふれ出すことのないように、第２の縦穴２０に流入する原水の流入量が所定量以下になり、且つ、第２の縦穴２０内の原水の水位が所定値以下となった際に逆洗工程を開始するようにしてもよい。即ち、逆洗機構制御器５１を含む制御装置は、原水の流入量が所定量以下になり、且つ、第２の縦穴２０内の原水の水位が所定値以下となった際に、原水供給弁４２を閉じ、集水配管弁６２を開き、原水ポンプ２１の運転を停止することが好ましい。
【００４３】
そして、このろ過システム１００では、第２の縦穴２０に流入する原水の流入量が所定量以下となった場合にのみろ過工程を終了し、逆洗工程を開始するので、第２の縦穴２０内への原水の流入量が多い場合に逆洗工程を開始することを避けることができる。また、原水の流入量が少ないタイミングで逆洗工程を開始することを確実にし、効率的にろ過システム１００を洗浄することができる。
また、第２の縦穴２０としてマンホールを使用する場合には、第２の縦穴２０は、原水を一時的に貯留するために活用できる。そのため、逆洗を行うタイミングをより効率的に制御することができる。
【００４４】
なお、より適切なタイミングで逆洗工程を開始する観点からは、逆洗工程は、原水の流入量が減少し、流入量が所定量以下となったタイミングで開始することが好ましい。原水の流入量が所定量以下の状態であっても、原水の流入量が増加傾向にあるタイミングで逆洗工程を開始すると、ろ過工程を再開するのが遅れ、原水を効率的にろ過することができない場合があるからである。
また、例えば、逆洗が１分間以内に終了する場合には、流入量が、逆洗を行う１分間の間に第２の縦穴２０が満水にならない流入量であり、且つ、第２の縦穴２０の水位が、原水ポンプ２１の空運転を防ぐために原水ポンプ２１を停止させるべき水位（例えば、図２に二点鎖線で示す位置）まで減少したタイミングで逆洗を開始することが、より好ましい。
【００４５】
ここで、上記一例のろ過システム１００では、第３の縦穴３０を設けたが、第１の縦穴１０よりも深い場所に、遮集管１１３が設置されている場合には、第３の縦穴３０は省略することができ、この場合、逆洗排水を逆洗排水排出口１４から集水配管６１を介して遮集管１１３へと直接排出することができる。
【００４６】
また、上記一例のろ過システム１００では、第３の縦穴３０から遮集管１１３への逆洗排水の送水は、水頭差を利用して行っているが、例えば、以下で説明する図３に示すろ過システム２００のように、第３の縦穴３０に排水ポンプを設置し、排水ポンプを用いて逆洗排水を送水して行ってもよい。
【００４７】
図３に示すろ過システム２００は、本発明に従うろ過システムの変形例である。
図３に示すろ過システム２００は、
・第３の縦穴３０内に設置された排水ポンプ３１と、原水ポンプ２１の動作を制御する原水ポンプ制御器５２とを更に含む点、
・原水ポンプ制御器５２が、水位計２３と原水ポンプ２１とに接続されている点、
・逆洗機構制御器５１が、排水ポンプ３１に更に接続されている点、及び、
・逆洗機構が、集水配管６１と、集水配管弁６２と、排水ポンプ３１とにより構成される点
において、先の一例のろ過システム１００と構成が異なっている。
【００４８】
そして、ろ過システム２００では、原水ポンプ制御器５２は、水位計２３で測定した水位に基づき原水ポンプ２１の動作（運転／停止）を制御する。具体的には、原水ポンプ制御器５２は、水位計２３で測定した第２の縦穴２０内の水位が所定値を超える場合には、原水ポンプ２１を起動させる。一方、原水ポンプ制御器５２は、第２の縦穴２０内の水位が所定値以下の場合には、原水ポンプ２１の運転を停止させる。
【００４９】
即ち、第２の縦穴２０から第１の縦穴１０内へと送られる原水の流量が第２の縦穴２０内に流入する原水の流量よりも大きい場合には、第２の縦穴２０内の水位ＬＶが、例えば図３に実線で示す位置から二点鎖線で示す位置まで低下するので、原水ポンプ制御器５２が原水ポンプ２１の運転を停止する。また、原水ポンプ２１の停止中に第２の縦穴２０内に原水が流入し、第２の縦穴２０内の水位が回復すると、原水ポンプ制御器５２が原水ポンプ２１を起動する。
【００５０】
更に、このろ過システム２００では、原水ポンプ制御器５２が原水ポンプ２１の運転時間を逆洗機構制御器５１に出力し、逆洗機構制御器５１が、原水ポンプ２１の運転時間に基づいて単位時間当たりに第２の縦穴２０に流入する原水の流入量を把握する。
【００５１】
なお、原水ポンプ２１の「運転時間」とは、原水ポンプ２１が運転している時間、即ち、原水ポンプ２１が起動してから停止するまでの時間をいう。
【００５２】
ここで、原水ポンプ制御器５２が原水ポンプ２１の運転を停止する水位と、原水ポンプ制御器５２が原水ポンプ２１の運転を再開する水位との差がｈ［ｍ］であり、原水ポンプの運転時間がｔ［ｍｉｎ］であり、第２の縦穴の底面積がＡ［ｍ２］であり、時間ｔの間に流入した原水の量がＱ’［ｍ３］であり、原水ポンプ２１の吐出量がｑ’［ｍ３／ｍｉｎ］であるとすると、式：
Ｑ’＝（ｑ’×ｔ）＋（Ａ×ｈ）
が成立する。
従って、原水ポンプ２１の吐出量が一定であるとした場合、原水ポンプ２１の運転時間は、第２の縦穴２０に流入する原水の流入量が多ければ、長く、該流入量が少なければ、短い。一方、原水ポンプ２１の停止時間（原水ポンプ制御器５２が、原水ポンプ２１の運転を停止してから再開するまでの時間、即ち、第２の縦穴２０内の水位が回復するまでの時間）は、第２の縦穴２０に流入する原水の流入量が多ければ、短く、該流入量が少なければ、長い。
【００５３】
そのため、逆洗機構制御器５１は、上記式を利用して、原水ポンプ２１の運転時間ｔと、原水ポンプ２１の吐出量ｑ’と、第２の縦穴２０の底面積Ａと、水位差ｈとから、単位時間当たりに第２の縦穴２０に流入する原水の流入量を把握し、逆洗機構を用いた浮上ろ材層の逆流洗浄の開始を制御することができる。即ち、図３において、逆洗機構制御器５１は、原水ポンプ２１の運転時間に基づいて単位時間当たりに第２の縦穴２０に流入する原水の流入量を把握し、把握した原水の流入量が所定量を超える場合には、逆洗機構を用いた浮上ろ材層１２の逆流洗浄の開始を許容しない（即ち、集水配管弁６２を閉じたままとする）。一方、把握した原水の流入量が所定量以下である場合には、逆洗機構を用いた浮上ろ材層の開始を許容する（即ち、集水配管弁６２が開くのを許容する）。
このように、水位計２３により測定した水位に基づいて原水ポンプ２１の動作を制御し、この原水ポンプ２１の運転時間を把握することにより、第２の縦穴２０への原水の流入量を簡便に測定することができる。
なお、ポンプを停止させている時間（停止時間）ｔ’［ｍｉｎ］と、第２の縦穴の底面積Ａ［ｍ２］と、原水ポンプ制御器５２が原水ポンプ２１の運転を停止する水位と、原水ポンプ制御器５２が原水ポンプ２１の運転を再開する水位との差ｈ［ｍ］と、単位時間当たりの原水の流入量Ｑ”［ｍ３／ｍｉｎ］との間には、式：
Ｑ”×ｔ’＝Ａ×ｈ
が成立する。
従って、このろ過システム２００では、逆洗機構制御器５１は、上記式を利用しても、単位時間当たりに第２の縦穴２０に流入する原水の流入量を把握し、逆洗機構を用いた浮上ろ材層の逆流洗浄の開始を制御することができる。
【００５４】
また、ろ過システム２００では、第３の縦穴３０の下部に、排水ポンプ３１が配置されている。排水ポンプ３１は、逆洗機構制御器５１に接続され、逆洗機構制御器５１によってその動作が制御される。ここで、このろ過システム２００では、排水ポンプ３１の吸込口３２は、第３の縦穴３０内に位置している。また、排水ポンプ３１の吐出口は、排水配管を介して図１に示す遮集管１１３に接続されており、遮集管１１３は、下水処理場まで延在している。なお、排水配管は、原水（越流水）が合流下水管１１１から越流する越流部よりも下流側で合流下水管１１１に接続してもよい。なお、排水ポンプ３１としては、既知のポンプを適宜選択して用いることができる。
図３において、排水ポンプ３１は、逆洗機構制御器５１に接続され、その運転／停止は、逆洗機構制御器５１により制御されるが、排水ポンプ３１の運転／停止は、手動で行われてもよい。また、第３の縦穴よりも深い部分に遮集管が存在している場合には、自然流下によって逆洗排水を排出することができるため、この排水ポンプ３１は省略することができる。
【００５５】
そして、このろ過システム２００では、以下で説明する通り、合流下水管１１１から第２の縦穴２０内に流入した越流水（原水）を第１の縦穴１０の浮上ろ材層１２でろ過し、或いは、第１の縦穴１０内の浮上ろ材層１２を逆洗する。また、ろ過システム２００においても、ろ過システム１００と同様に、浮上ろ材層１２を逆洗するタイミングは、第２の縦穴２０への原水の流入量に基づいて決定する。ここで、ろ過システム２００では、上述したように、原水の流入量は、原水ポンプ２１の運転時間に基づいて把握される。そして、原水ポンプ２１の動作は、以下で説明する水位測定工程で測定される第２の縦穴２０の水位に基づいて制御される。
【００５６】
＜ろ過工程＞
ろ過システム２００では、水位計２３により測定された水位が所定値を越える場合には、原水ポンプ制御器５２が原水ポンプ２１を起動して、原水のろ過を行う。この場合、逆洗機構制御器５１および原水ポンプ制御器５２を含む制御装置が、原水供給弁４２を開き、集水配管弁６２を閉じ、この状態で、原水ポンプ２１を運転させることにより、合流下水管１１１から原水流路を介して第２の縦穴２０内へと流入した原水を、第１の縦穴１０の下部へと送水する。そして、送水した原水を浮上ろ材層１２に上向流で通水することにより、原水をろ過する。得られたろ過水は、ろ過水貯留部１５内を上向流で流れた後、ろ過水流出口１６を介して河川等へ放流される。
【００５７】
ここで、原水のろ過時に、第２の縦穴２０から原水供給路４１及び原水流入口１３を介して第１の縦穴１０内へと送られる原水の流量が第２の縦穴２０内に流入する原水の流量よりも大きい場合、即ち、原水ポンプ２１の吐出量が原水の流入量よりも大きい場合には、第２の縦穴２０内の水位ＬＶが、例えば図３に実線で示す位置から二点鎖線で示す位置まで低下する。そこで、原水ポンプ制御器５２は、水位計２３により測定された水位が所定値以下まで低下した場合には、原水ポンプ２１を停止して第２の縦穴２０内の水位が所定値を越えるまでろ過を一時的に中断し、原水ポンプ２１が空運転するのを防止する。そして、第２の縦穴２０内に再び原水が貯留され、第２の縦穴２０内の水位が上昇すると、原水供給弁４２を開き、原水ポンプ２１の運転を再開して、原水のろ過を再開する。なお、原水ポンプ２１の停止中は、原水供給弁４２を閉じる。
【００５８】
なお、ろ過システム１００と同様に、ろ過システム２００でも、第１の縦穴１０内を原水が上向流で流れれば、集水配管弁６２を開いた状態で原水をろ過してもよいが、原水を効率的にろ過する観点からは、集水配管弁６２を閉じた状態で原水をろ過することが好ましい。
【００５９】
＜水位測定工程＞
ここで、ろ過工程の実施中に、水位計２３は、第２の縦穴２０内の水位を測定し、測定した水位を原水ポンプ制御器５２に出力する。原水ポンプ制御器５２は、前述のようにして、水位計２３から出力された信号に基づき、原水ポンプ２１の運転／停止を制御する。
【００６０】
そして、このろ過システム２００では、原水ポンプ２１の運転時間から把握される原水の流入量が所定量以下である場合にのみ、以下で説明する逆洗工程を実施する。
即ち、単位時間当たりに第２の縦穴２０に流入する原水の流入量が所定量を超える場合には、逆洗機構を用いた浮上ろ材層１２の逆流洗浄の開始を逆洗機構制御器５１が許容せず、ろ過工程の実施を継続する。一方、単位時間当たりに第２の縦穴２０に流入する原水の流入量が所定量以下である場合には、ろ過工程を終了し、逆洗機構を用いた浮上ろ材層１２の逆流洗浄を開始する。
なお、逆洗機構制御器５１は、前述したようにして、原水ポンプ２１の運転時間から原水の流入量を把握することができる。
【００６１】
ここで、単位時間当たりに第２の縦穴２０に流入する原水の流入量の把握は、原水ポンプ２１の運転時間に基づいて行ったが、特に限定されず、原水ポンプ２１の停止時間に基づいて流入量を把握してもよい。また、流入量を直接的又は間接的に測定することのできる既知の手法に基づき原水の流入量を把握しても良い。例えば、原水の流入量は、原水ポンプ２１の回転数を調節できる場合には、原水ポンプ２１の回転数に基づいて把握してもよい。更に、原水ポンプ２１が一定水位制御を行う場合には、原水ポンプ２１のインバータ周波数に基づき把握してもよい。
【００６２】
＜逆洗工程＞
また、ろ過システム２００では、第２の縦穴２０に流入する原水の流入量が所定量以下になると、逆洗機構制御器５１を含む制御装置５０が、原水ポンプ２１を停止し、原水供給弁４２を閉じ、集水配管弁６２を開き、排水ポンプ３１を運転させる。これにより、集水配管６１を介して第１の縦穴１０内の水を第３の縦穴３０の下部へと排出し、ろ過水貯留部１５に貯留されたろ過水を浮上ろ材層１２に下向流で通水して、浮上ろ材層１２を構成する多数の浮上ろ材を下方に展開させる。そして、浮上ろ材層１２に補足されていた夾雑物や浮遊性懸濁物質を浮上ろ材層１２から排出させ、浮上ろ材層１２を逆洗する。また、第１の縦穴１０内から第３の縦穴３０内へと流入した水（浮上ろ材層１２に補足されていた夾雑物や浮遊性懸濁物質を含む逆洗排水）を、排水ポンプ３１を介して第３の縦穴３０内から遮集管１１３へと送出する。
【００６３】
なお、ろ過システム２００では、第３の縦穴３０内の水位の低下により排水ポンプ３１が空運転するのを防止するために、第３の縦穴３０内の水位が所定の位置（例えば図３に実線で示す位置）まで低下した場合には、第３の縦穴３０内の水位が上昇するまで排水ポンプ３１の運転を停止する。
【００６４】
そして、このろ過システム２００によれば、先のろ過システム１００と同様にして、第２の縦穴２０内への原水の流入量が多い場合に逆洗工程を開始することを避けることができる。また、原水の流入量が少ないタイミングで逆洗工程を開始することを確実にし、効率的にろ過システム２００を洗浄することができる
【００６５】
なお、より適切なタイミングで逆洗工程を開始する観点からは、逆洗工程は、原水の流入量が減少し、流入量が所定量以下となったタイミングで開始することが好ましい。原水の流入量が所定量以下の状態であっても、原水の流入量が増加傾向にあるタイミングで逆洗工程を開始すると、ろ過工程を再開するのが遅れ、原水を効率的にろ過することができない場合があるからである。
【００６６】
以上、一例を用いて本発明のろ過システムについて説明したが、本発明のろ過システムは、上記一例に限定されることはなく、本発明のろ過システムには適宜変更を加えることができる。
【００６７】
例えば、上述したろ過工程から逆洗工程へ、または、逆洗工程からろ過工程への切り替えは、更に、ろ過差圧、降水量、逆洗排水を排出する遮集管の水位又はこれらの組み合わせ等と、原水の流入量との両方を用いて行っても良い。
ろ過工程／逆洗工程の切り替えを、ろ過差圧及び原水の流入量の両方を用いて行う場合には、具体的には、以下のように行われる。ろ過システムは、原水ポンプ２１の運転時間若しくは停止時間又は原水ポンプ２１の回転数に基づき、流入量を把握しながらろ過を行い、ろ過差圧が、逆洗を開始すべき上限値に近づいてきたら、原水の流入量を確認する。そして、原水の流入量が所定量を超える場合には、ろ過差圧が上限に達するまでろ過を継続し、ろ過差圧が上限に達した時点の流入量に応じて逆洗を行うかどうかを決定する。一方、流入量が所定量以下の場合には、第２の縦穴２０内の水位が低下するまでろ過を継続するか、或いは、原水ポンプ２１の回転数を変化させることができる場合には、原水ポンプ２１の回転数を上げて第２の縦穴２０の水位を低下させる。そして、第２の縦穴２０の水位が低下したことを確認して逆洗を行う。
【産業上の利用可能性】
【００６８】
本発明によれば、原水の流入量が変動するような場合であっても浮上ろ材層を効果的なタイミングで逆洗することが可能なろ過システム及びろ過システムの洗浄方法を提供することができる。
【符号の説明】
【００６９】
１０  第１の縦穴
１１  スクリーン
１２  浮上ろ材層
１３  原水流入口
１４  逆洗排水排出口
１５  ろ過水貯留部
１６  ろ過水流出口
２０  第２の縦穴
２１  原水ポンプ
２２  吸入口
３０  第３の縦穴
３１  排水ポンプ
３２  吸入口
４１  原水供給路
４２  原水供給弁
５０  制御装置
５１  逆洗機構制御器
５２  原水ポンプ制御器
６１  集水配管
６２  集水配管弁
１００  ろ過システム
１１１  合流下水管
１１２  雨水吐き
１１３  遮集管
１１４  河川
１１５  流量調整弁
２００  ろ過システム
【図１】
2014018725.tif 000003
【図２】
2014018725.tif 000004
【図３】
2014018725.tif 000005